(57)【特許請求の範囲】
【請求項１】
紐状体と、
シート状体と、
該シート状体に装着した板体と、
前記紐状体の鈎部を有すると共に前記板体外周から連続する前記板体に形成した第一のスリットと、
前記鈎部を経た前記紐状体を保持するための前記板体外周から連続する前記板体に形成した第二のスリットと、
を備えてなる工事現場用覆い。
【請求項２】
紐状体と、
シート状体と、
該シート状体に装着した板体と、
前記紐状体の鈎部を有すると共に前記板体外周から連続する前記板体に形成した第一のスリットと、
前記鈎部を経た前記紐状体を保持するための前記板体外周から連続する前記板体に形成した第二のスリットと、
前記板体外周の、前記板体の鈎部に至る紐状体と隣接した位置に形成した、前記鈎部を経た紐状体の掛止部と、
を備えてなる工事現場用覆い。
【請求項３】
前記第二のスリットが前記紐状体を挟持する挟持部である請求項１又は請求項２記載の工事現場用覆い。
【請求項４】
紐状体と、
シート状体と、
該シート状体に装着した板体と、
前記紐状体の鈎部を有すると共に前記板体外周から連続する前記板体に形成したスリットと、
前記鈎部を経て前記板体の面上に折曲された前記紐状体を着脱自在に保持する前記板体上に形成した保持部と、
を備えて成る工事現場用覆い。
【請求項５】
前記保持部が前記紐状体を前記板体に押圧する押圧部である請求項４記載の工事現場用覆い。
【請求項６】
紐状体と、
孔を有するシート状体と、
該シート状体に前記孔を介して装着した雄側鳩目金具と雌側鳩目金具とから成る鳩目金具と、
前記紐状体の鈎部を有すると共に前記雌側鳩目金具外周から連続する前記雌側鳩目金具に形成した第一のスリットと、
前記鈎部を経た前記紐状体を保持するための前記雌側鳩目金具の外周から連続する前記雌側鳩目金具に形成した第二のスリットと、
を備えてなる工事現場用覆い。
【請求項７】
紐状体と、
孔を有するシート状体と、
該シート状体に前記孔を介して装着したフランジを有する雄側鳩目金具と雌側鳩目金具とから成る鳩目金具と、
前記紐状体の鈎部を有すると共に前記雄側鳩目金具のフランジ外周から連続する前記フランジに形成した第一のスリットと、
前記鈎部を経た前記紐状体を保持するための前記フランジの外周から連続する前記フランジに形成した第二のスリットと、
を備えてなる工事現場用覆い。
【請求項８】
紐状体と、
シート状体と、
該シート状体に装着した板体と、
前記紐状体の鈎部を有すると共に前記板体外周から連続する前記板体に形成した複数のスリットと、
を備えてなる工事現場用覆い。
【発明の詳細な説明】
【技術分野】
【０００１】
本発明は、例えば工事現場等で使用されるシート又は、ネット等の工事現場用覆いに関する。
【背景技術】
【０００２】
従来、この種の工事現場用覆いは、複数「連結」され、且つ連結された状態で、足場等の取り付け箇所に「取り付け」されるものであった。又、「取り付け」や「連結」されたこれらは、工事の終了と共に「取り外し」を行う必要があった。  
【０００３】
そして、これらの「連結」及び「取り付け」は、この工事現場用覆いに於ける四辺の各縁に沿って設けられた複数の孔に夫々嵌着されて、該孔の補強をする所謂鳩目金具を利用して行われていた。
【０００４】
図１は工事現場用覆いに嵌着する前の鳩目金具１を示し、これは雌側鳩目金具２と雄側鳩目金具３とから構成される。そして雌側鳩目金具２は、其の中心部に打ち抜き孔４を有する。又、雄側鳩目金具３は円筒部５と、該円筒部５の外周に形成したフランジ６を有する。
【０００５】
上記構成にある鳩目金具１の、工事現場用覆いに於ける前記孔に対する嵌着は次ぎのとおりである。雄側鳩目金具３の円筒部５を、前記した工事現場用覆いの孔に挿入後、雌側鳩目金具２の打ち抜き孔４を前記円筒部５に嵌合させて、フランジ６と雌側鳩目金具２とで工事現場用覆いを挟み込んだ状態にする。次いで円筒部５の上端側に、雌側鳩目金具２へ向けたカシメを施し、この嵌着が完了するものである。無論、其の中心部には前記カシメにより変形した円筒部５による紐等の挿通孔が形成される。
【０００６】
上記方法により鳩目金具１が装着されている工事現場用覆い同士の前記した「連結」は、連結すべく隣接させた工事現場用覆いの対向する鳩目金具１の前記挿通孔夫々に、紐を挿通し、其の両端を結び合わせてこれを達成していた。
又、同様の方法で鳩目金具１が装着されている工事現場用覆いの、前記した「取り付け」は、鳩目金具１の前記挿通孔を通した紐を、足場となるパイプ等に括り付けることによって達成していた。
【０００７】
他方、工事の終了に伴う工事現場用覆いの前記した「取り外し」は、工事現場用覆い同士を結びつけていた多数の紐の結びを解き、又パイプに対する多数の括り付けを解く必要があった。
【０００８】
これらの「連結」、「取り付け」及び「取り外し」は、上記の如く極めて作業性の悪いものであった。この低作業性は、殊に大規模な工事現場に於いて無視できないものになっていた。
【０００９】
他方、上記欠点を解消すべく、特開２００６−２２５２８に示される技術も提供されている。
この技術は、シートに設けられている鳩目金具２に対し、合成樹脂等の弾性体で形成した固定具本体３を其の弾性を利用して嵌着させたものである。
【００１０】
そして該本体３から延びるバンド４を、隣のシートの鳩目金具５、又はシートを取り付けようとしているパイプを経由させた後、其の先端を前記固定具本体３のバンド挿通係止部６に係止させて、シート同士の「連結」、又はパイプに対する「取り付け」を達成するものであった。
【００１１】
然しながらこの技術の場合、シート連結固定具１全体が複雑な形状を成し、如何に合成樹脂による成型品としても、高価にならざるを得ないものであった。
【００１２】
更に前記「連結」又は「取り付け」及び其の「取り外し」に際しては、舌片１６の、板体１４下面への挿入、及び引き出しの操作を必要とするものであり、作業性が極めて悪いものであった。この低作業性は、殊に鳶職の手を必要とする高層建造物等に於けるシートの敷設及び解体作業のコストを押し上げるものでもあり、適切とは言えなかった。
【特許文献１】特開２００６−２２５２８号公報
【発明の開示】
【発明が解決しようとする課題】
【００１３】
解決しようとする問題点は、工事現場用覆いの敷設作業及び解体作業の中心を成す連結紐等の取り付け及び取り外しのための作業コストの嵩みにある。又、この点の解決を試みる技術も散見されるが、未だ根本的解決には至っていない。
【課題を解決するための手段】
【００１４】
本発明の目的は、上記課題を解消した工事現場用覆いの提供にあり、
請求項１の手段は、
「紐状体と、シート状体と、該シート状体に装着した板体と、前記紐状体の鈎部を有すると共に前記板体外周から連続する前記板体に形成した第一のスリットと、前記鈎部を経た前記紐状体を保持するための前記板体外周から連続する前記板体に形成した第二のスリットと、を備えてなる工事現場用覆い。」
にある。
【００１５】
請求項２の手段は、
「紐状体と、シート状体と、該シート状体に装着した板体と、前記紐状体の鈎部を有すると共に前記板体外周から連続する前記板体に形成した第一のスリットと、前記鈎部を経た前記紐状体を保持するための前記板体外周から連続する前記板体に形成した第二のスリットと、前記板体外周の、前記板体の鈎部に至る紐状体と隣接した位置に形成した、前記鈎部を経た紐状体の掛止部と、
を備えてなる工事現場用覆い。」
にある。
【００１６】
請求項３の手段は、           
「前記第二のスリットが前記紐状体を挟持する挟持部である請求項２又は請求項３記載の工事現場用覆い。」
にある。
【００１７】
請求項４の手段は、
「紐状体と、シート状体と、該シート状体に装着した板体と、前記紐状体の鈎部を有すると共に前記板体外周から連続する前記板体に形成したスリットと、前記鈎部を経て前記板体の面上に折曲された前記紐状体を着脱自在に保持する前記板体上に形成した保持部と、を備えて成る工事現場用覆い。」
にある。
【００１８】
請求項５の手段は、
「前記保持部が前記紐状体を前記板体に押圧する押圧部である請求項５記載の工事現場用覆い。」
にある。
【００１９】
請求項６の手段は、
「紐状体と、
孔を有するシート状体と、
該シート状体に前記孔を介して装着した雄側鳩目金具と雌側鳩目金具とから成る鳩目金具と、
前記紐状体の鈎部を有すると共に前記雌側鳩目金具外周から連続する前記雌側鳩目金具に形成した第一のスリットと、
前記鈎部を経た前記紐状体を保持するための前記雌側鳩目金具の外周から連続する前記雌側鳩目金具に形成した第二のスリットと、
を備えてなる工事現場用覆い。」
にある。
【００２０】
請求項７の手段は、
「紐状体と、
孔を有するシート状体と、
該シート状体に前記孔を介して装着したフランジを有する雄側鳩目金具と雌側鳩目金具とから成る鳩目金具と、
前記紐状体の鈎部を有すると共に前記雄側鳩目金具のフランジ外周から連続する前記フランジに形成した第一のスリットと、
前記鈎部を経た前記紐状体を保持するための前記フランジの外周から連続する前記フランジに形成した第二のスリットと、
を備えてなる工事現場用覆い。」
にある。
【００２１】
請求項８の手段は
「紐状体と、シート状体と、該シート状体に装着した板体と、前記紐状体の鈎部を有すると共に前記板体外周から連続する前記板体に形成した複数のスリットと、を備えてなる工事現場用覆い。」
にある。
【発明の効果】
【００２２】
請求項１記載の工事現場用覆いは、被装着部から延びる紐状体を、第一のスリットに於ける鈎部に位置させ、この状態を維持すべく残る紐状体の部分を、第二のスリットに差し込むだけの簡単な操作で、所望の被装着部に対する「取り付け」、及び「連結」が出来る。又この逆の簡単な操作で、「連結」及び「取り付け」の「取り外し」を達成することが出来る。
【００２３】
請求項２記載の工事現場用覆いは、鈎部を経た紐状体を、再度被装着部方向に指向させた状態で維持することが出来る掛止部を有するので、紐状体の鈎部からの滑り抜け等が無く、より確実な「連結」及び「取り付け」が出来る。
【００２４】
請求項３記載の工事現場用覆いは、第二のスリットが狭持部であるため、挟持部からの紐状体の滑り抜けを防ぎ、より確実な「連結」及び「取り付け」が出来る。
【００２５】
請求項４記載の工事現場用覆いは、単に紐状体をスリットと、保持部に差し込むだけの簡単な操作で、所望の被装着部に対する「取り付け」、及び「連結」が出来る。又、紐状体をスリット及び保持部から引き抜くだけの簡単な操作で前記「連結」及び「取り付け」の「取り外し」ができる。更に保持部は、鈎部を経て板体の面上に折曲された紐状体の浮き上がりを防止するように作用するので、工事現場用覆いの確実な「連結」及び「取り付け」が出来る。
【００２６】
請求項５記載の工事現場用覆いは、保持部が紐状体を板体に押圧する押圧部であるため、鈎部を経て板体の面上に折曲された紐状体の浮き上がりを防ぎ、又其の滑り抜けを防ぐように作用するので、工事現場用覆いの、より確実な「連結」及び「取り付け」が出来る。
【００２７】
請求項６記載の工事現場用覆いに於ける鳩目金具は、従来の鳩目金具と同様、紐を挿通する挿通孔を有する。従って、従来の鳩目金具を付した従来の工事現場用覆いとしても、又種々の前記利便性を備えた本発明に係る工事現場用覆いとしても使用可能である。更に、従来の工事現場用覆いに於ける鳩目金具の雌側鳩目金具を、単に本発明に係る雌側鳩目金具と置換するのみで、本発明に係る工事現場用覆いの製造が出来、これを安価に提供することが出来る。更に従来の雌側鳩目金具と、本願に係る雌側鳩目金具とを選択的に使用することにより、本発明に係る工事現場用覆いと、従来の工事現場用覆いの二種類を、安価にして容易に提供することが出来る。
【００２８】
請求項７記載の工事現場用覆いに於ける鳩目金具は、従来の鳩目金具と同様、細紐を挿通する挿通孔を有する。従って、従来の鳩目金具を付した従来の工事現場用覆いとしても、又種々の前記利便性を備えた本発明に係る工事現場用覆いとしても使用可能である。更に、従来の工事現場用覆いに於ける鳩目金具の雄側鳩目金具を、単に本発明に係る雄側鳩目金具と置換するのみで、本発明に係る工事現場用覆いの製造が出来、これを安価に提供することが出来る。更に従来の雄側鳩目金具と、本発明に係る雄側鳩目金具とを選択的に使用することにより、本発明に係る工事現場用覆いと、従来の工事現場用覆いの二種類を、安価にして容易に提供することが出来る。
【００２９】
請求項８記載の工事現場用覆いは、被装着部から延びる紐状体を、任意のスリットに於ける鈎部に位置させ、この状態を維持すべく残る紐状体の部分を、前記とは異なる任意のスリットに差し込むだけの簡単な操作で、所望の被装着部に対する「取り付け」、及び「連結」が出来る。又この逆の簡単な操作で、「連結」及び「取り付け」の「取り外し」を達成することが出来る。更に、使い易いスリットを、複数のスリットの中から選択することが出来るので、スピーディーな「連結」、「取り付け」、「取り外し」の各作業が可能である。
【発明を実施するための最良の形態】
【００３０】
以下本発明に係る第一の実施例の構成を、図１乃至図７に従い説明する。
【００３１】
第一の実施例は、大略的には既に図１を用いて説明した従来の工事現場用覆いと略同様である。相違するところは、従来の鳩目金具１に於ける雌側鳩目金具２に代えて、図３に示す板体たる雌側鳩目金具１０を用いた点のみである。因って、本実施例に於ける雄側鳩目金具については、図１のアルミニューム製雄側鳩目金具３を本実施例に援用する。
【００３２】
本発明に係る工事現場用覆い１１は、其の部分断面図である図２に示す如く、シート状体たるシート１２を有する。該シート１２には、孔１３が穿孔されてある。該孔１３には、従来のシートに用いられている図１に示すアルミニューム製鳩目金具１に於ける雄側鳩目金具３の円筒部５が挿入される。
【００３３】
更にこの状態から円筒部５には図３に示すアルミニューム製雌側鳩目金具１０の嵌合孔１４が嵌め込まれる。因って、前記シート１２は雌側鳩目金具１０とフランジ６とにより挟まれた状態に置かれる。
【００３４】
次いで、上記シート１２が挟まれた状態で、図１に示される円筒部５の上端に一般的手法のカシメ加工を施し、図２に示す如くシート１２に対する、雄側鳩目金具３と雌側鳩目金具１０とから成る鳩目金具１５の取り付けが完了する。尚、前記カシメ加工は、前記シート１２に於ける前記孔１３内で、雄側鳩目金具３と雌側鳩目金具１０の回動を許容するよう緩く施す。１６は、挿通孔である。
【００３５】
この様な取り付けを繰り返すことにより、シート１２の周縁に所望数の鳩目金具１５が装着されて、工事現場用覆い１１が完成する。
【００３６】
ここで前記雌側鳩目金具１０をより詳しく説明するに、図３に於いて１７は前記雌側鳩目金具１０の外周１８から連続する第二のスリットたる狭持部である。
【００３７】
１９及び２０は、各々外周１８から連続する第一のスリットたるスリットであり、これらは図４及び図５に示す如く、該スリット１９又は２０を経て矢印Ｘ方向に延びる紐状体２１に対する、鈎部２２及び２３を有する。
【００３８】
尚、少なくも該鈎部２２及び２３近傍に於けるスリット１９及び２０のスリット幅、及び前記挟持部１７の幅は、各々紐状体２１を挟持させる目的により、前記紐状体２１の径よりも狭いものにしてある。又、このようなスリット１９、２０及び挟持部１７への挿入を容易にするため、前記紐状体２１には圧縮に対する自己復元性を持たせてある。
【００３９】
２４は、雌側鳩目金具１０の外周１８に形成した、紐状体２１を掛止することが可能な掛止部である。そして、この掛止部２４を形成する部分の外周は、前記嵌合孔１４を中心とする半径よりも大なる半径を有する。
【００４０】
図６に於ける１２−Aは、前記した従来のシートであり、これには従来の鳩目金具１が嵌着されてあると共に、周知の挿通孔１６−Aを有する。
そして、図６は被装着部となる従来のシート１２−Ａに、本発明に係るシート１２を「連結」した状体の図である。
【００４１】
図６に示す前記紐状体２１は、一端部２５と他端２６を有する。そしてこの紐状体２１は、シート１２が装着される被装着部（ここでは、従来のシート１２−Aの鳩目金具１）と、シート１２の雌側鳩目金具１０間の前記「連結」、「取り付け」及び「取り外し」に関連して使用される。２７は結束具であり、前記他端部２６と、紐状体２１の中程とを結束する。
【００４２】
図７は被装着部となる本発明に係るシートに、同じく本発明に係るシートを、「連結」した状態の図である。従って、説明上両者を区別するため、被装着部とする側のシート１２−Ｂ及び其の雌側鳩目金具１０−Ｂの各部は、前記シート１２及び雌側鳩目金具１０で用いた記号に「−Ｂ」を付して其の説明を省略する。他の構成は第一の実施例と共通であり、これを援用し其の説明を省略する。
【００４３】
次に、第二の実施例の構成を、図８及び図９に従って説明する。
【００４４】
第二の実施例に於ける、板体たる雌側鳩目金具１０−２は、全体が合成樹脂製である。３０は、該雌側鳩目金具１０−２と一体的に成型した保持部たる押圧部であり、紐状体２１を雌側鳩目金具１
０−２の上面に押圧し得る弾発力を有する。
即ち、この押圧部３０は、第一の実施例に於ける第二のスリットたる挟持部１７に代わるものである。
尚、３１は押圧部３０を効果的に作用させるための紐状体２１に対するガイド部である。
【００４５】
第二の実施例は、これらの点のみが第一の実施例と相違する構成であり、雌側鳩目金具１０−２に於ける他の各構成は、第一の実施例で用いた記号に「−２」を付して其の説明を省略する。又、雌側鳩目金具１０−２以外の、他の構成は第一の実施例と共通であり、これを援用し其の説明を省略する。
【００４６】
次に、第三の実施例の構成を、図１０に従って説明する。
【００４７】
第三の実施例は、第一の実施例に於ける第二のスリットたる挟持部１７に代えて、第一の実施例に於けるスリット１９及び２０と対応する、板体たる雌側鳩目金具１０−３に於けるスリット１９−３又はスリット２０−３の何れかを選択的に利用できる構成にしたものである。
【００４８】
この選択は、矢印Ｘ方向の被装着部から至る紐状体２１を、スリット１９−３、２０−３の何れに挿入したかにより、其の挿入されない側が選択される。
従って、第一の実施例に於ける雌側鳩目金具１０と、第三の実施例に於ける雌側鳩目金具１０−３の各構成は、実質的に同一である
【００４９】
因って、雌側鳩目金具１０−３に於ける各構成は、第一の実施例で用いた記号に「−３」を付して其の説明を省略する。又、他の構成は第一の実施例と共通であり、これを援用し其の説明を省略する。
【００５０】
以下本発明に係る第一の実施例の作用を、図１〜図７に従い詳細に説明する。
図６に示す如く、従来の工事現場用覆い１１−Aと、本発明に係る工事現場用覆い１１とを「連結」するには、予め紐状体２１の他端部２６側を従来のシート１２−Aに於ける被装着部たる鳩目金具１の挿通孔１６−Aに結束具２７を用いて取り付けておく。無論、結束具２７に依らず、これ以外の取り付け方法でもよく、紐状体２１の他端部２６を、其の中程に結び付ける方法、更には紐状体２１の材質によっては、他端部２６と中程とを熱接着する方法等でも良い。
【００５１】
この様にした従来のシート１２−Aにシート１２を隣接させた後、図６に示す如く紐状体２１の一端部２５側を、雌側鳩目金具１０の裏側と、シート１２との間に進入させる。進入させた紐状体２１を、スリット１９の外周１８側からスリット１９に押し込むと共に、これを図４に示す如く鈎部２２と対向させる。
【００５２】
この対向状態で、図６に示す鳩目金具１方向に、紐状体２１の一端部２５を引張すると、雌側鳩目金具１０は穴３を中心に回動し、鳩目金具１，鈎部２２、及び孔３が、同一直線上に位置する。
【００５３】
この同一直線上に位置させることにより、鈎部２２に対向した紐状体２１の、スリット１９内での外周１８方向への移動が阻止される。
【００５４】
この状態から更に、図６で示される如く、鳩目金具１と鈎部２２間に張設されている紐状体２１に最も近接した掛止部２４上の位置に、図４で示す如く紐状体２１の一端部２５側を掛け止めする。
【００５５】
次いで、この掛止した紐状体２１の一端部２５側を、雌側鳩目金具１０と、シート１２間に再度進入させ、上記した掛止状態が緩まないように紐状体２１に緊張状態を維持させたまま、其の一端部２５側を挟持部１７に押し込む。
【００５６】
この押し込みにより、紐状体２１は挟持部１７から滑り抜けしないように挟持部１７に保持される。
【００５７】
尚、掛止部２４を形成する部分の外周１８が、前記嵌合孔１４を中心とする半径より大きな半径によって形成されているので、上記の掛止部２４に掛止られた紐状体２４は、掛止部２４上を、スリット１９又は２０方向へ移動することが無い。
【００５８】
以上の作業を繰り返すことにより、工事現場用覆い１１の、被装着部となる従来の工事現場用覆い１１−Ａに対する前記「連結」が完了する。
【００５９】
上記の説明は、図４に示す如く雌側鳩目金具１０に於ける鈎部２２及び２３の中、鈎部２２に紐状体２１を対向させた場合の説明である。然しながら本第一の実施例の場合、図５に示す如く、鈎部２３に紐状体２１を対向させても良く、鈎部２２、２３の何れに紐状体２１を対向させるかは、使い勝手を考慮して選択する。
【００６０】
又、鈎部２３に紐状体２１を対向させた場合と、既に説明済みの鈎部２２に紐状体２１を対向させた場合との、作用上に於ける相違点は、単に２２，２３の何れの鈎部に、紐状体２１を対向させるかのみであり、図５を示すことにより、其の作用の説明を省略する。
【００６１】
上記「連結」の完了状態に於いては、紐状体２１に矢印Ｘ方向の力が作用しても、上記の如く以下の作用により、紐状体２１の、矢印Ｘ方向への滑り抜け、鈎部２２又は２３からの外周１８方向への移動、弛み、及び雌側鳩目金具１０の面上からの浮き上がり、の各々を防止することが出来る。
（１）鈎部２２又は２３に、被装着部からの紐状体２１を介した反力が加わると、図６に示す如く、被装着部となる鳩目金具１、鈎部２２（又は２３）、孔１３が同一直線上に位置する。
（２）雌側鳩目金具１０の面上に沿う紐状体２１が、掛止部２４、鈎部２２（又は２３）、挟持部１７の各々と係わる際は、必ず雌側鳩目金具１０の面に対し直角方向に向けられる。
【００６２】
工事が終了し、前記「連結」の「取り外し」を行うには、前記「連結」の手順とは逆の手順でもって「取り外し」を行う。
【００６３】
シート１１の、足場となるパイプ（図示せず）等に対する前記「取り付け」は、次の通りである。即ち、「取り付け」に際しては、先に述べ、且つ図４に示す如く、雌側鳩目金具１０に一端部２５側が取り付けられた紐状体２１の他端部２６側をパイプ（図示せず）周りに周回させる。この周回した紐状体２１の他端部２６側を再度先の雌側鳩目金具１０に持ちきたし、先の一端部２５側と同様に、他端部２６側を雌側鳩目金具１０に取り付ける。即ち、雌側鳩目金具１０は紐状体２１が二重巻きされた状態になる。これで、工事現場用覆い１１の、パイプに対する「取り付け」は完了する。
【００６４】
工事現場用覆い１１のパイプからの「取り外し」は、上記「取り付け」と逆の手順により達成される。
【００６５】
尚、上記第一の実施例に於いては、挟持部１７、スリット１９，２０、鈎部２２，２３及び掛止部２４を、雌側鳩目金具１０側に形成してあるが、これに限らず、雄側鳩目金具３のフランジ６に形成しても良い。
【００６６】
又、挟持部１７、とは別の挟持部を更に設け、この挟持部を経た紐状体２１が、最後に挟持部１７に至るようにしても良く、この場合、紐状体２１の前記滑り抜け防止を更に確実なものにすることが出来る。  
【００６７】
次に、第二の実施例の作用を以下説明する。
第一の実施例の場合と同様、図６に於ける従来の工事現場用覆い１１−Aを被装着部とした場合を例に説明する。
【００６８】
従来の工事現場用覆い１１−Aに、図８に示す工事現場用覆い１１を隣接させた後、紐状体２１の一端部２５側を、雌側鳩目金具１０−２の裏側とシート１２の間に進入させる。進入させた紐状体２１を、スリット１９−２の外周１８−２側からからスリット１９−２に押し込むと共に、鈎部２２−２に対向させる。
【００６９】
この対向状態で、図６に示す鳩目金具１方向に、紐状体２１の一端部２５を引張すると、雌側鳩目金具１０−２は、孔１３を中心に回動し、鳩目金具１，鈎部２２−２、及び孔１３が、同一直線上に位置する。
【００７０】
この同一直線上に位置させることにより、鈎部２２−２に対向した紐状体２１の、スリット１９−２内での外周１８方向への移動が防止される。
【００７１】
この状態から更に、鳩目金具１と鈎部２２間に張設されている紐状体２１に、最も近接した掛止部２４−２上の位置に、図８で示す如く紐状体２１の一端部２５側を掛け止めする。
【００７２】
次いで、この掛け止めした紐状体２１の一端部２５側を、雌側鳩目金具１０−２と、シート１２間に再度進入させ、上記した掛け止め状態が緩まないように緊張状態を維持させたまま、ガイド部３１を経由させる。経由後更に、一端部２５側を雌側鳩目金具１０−２の表側に引き出し、押圧部３０の弾性に抗して押圧部３０と、雌側鳩目金具１０−２の上面との間に押し込む。
【００７３】
この押し込みで、従来の工事現場用覆い１１−Aと、図８に示す工事現場用覆い１１との前記「連結」が完了する。
【００７４】
上記「連結」の完了状態に於いては、紐状体２１に矢印Ａ方向の力が作用しても、上記の如く以下の作用により、紐状体２１の、矢印Ｘ方向への滑り抜け、鈎部２２−２又は２３−２からの外周１８−２方向への移動、弛み、及び雌側鳩目金具１０の面上からの浮き上がり、の各々を防止することが出来る。
（１）鈎部２２−２又は２３−２に、被装着部からの紐状体２１を介した反力が加わると、図６に示す如く、被装着部たる鳩目金具１、鈎部２２−２、孔１３が同一直線上に位置する。
（２）雌側鳩目金具１０−２の面上に沿う紐状体２１が、掛止部２４−２、鈎部２２−２（又は２３−２）、ガイド部３１の各々と係わる際は、必ず雌側鳩目金具１０−２の面に対し直角方向に向けられる。
【００７５】
工事が終了し、前記「連結」の「取り外し」を行うには、前記「連結」の手順とは逆の手順でもって「取り外し」を行う。
【００７６】
シート１２の、足場となるパイプ（図示せず）等に対する前記「取り付け」及び「取り外し」は、次の通りである。即ち、「取り付け」に際しては、先に述べ、且つ図８に示す如く、雌側鳩目金具１０−２に一端部２５側が取り付けられた紐状体２１の他端部２６側をパイプ（図示せず）周りに周回させる。この周回した紐状体２１の他端部２６側を再度先の雌側鳩目金具１０−２に持ちきたし、先の一端部２５側と同様に、他端部２６側を雌側鳩目金具１０−２に取り付ける。即ち、雌側鳩目金具１０−２は紐状体２１が二重巻きされた状態になる。これで、工事現場用覆い１１の、パイプに対する「取り付け」が完了する。
【００７７】
工事現場用覆い１１のパイプからの「取り外し」は、上記「取り付け」と逆の手順により達成される。
【００７８】
尚、雌側鳩目金具１０−２上の押圧部３０は、図８に示す位置以外の位置でも良く、紐状体２１の矢印Ｘ方向への滑り抜けが阻止できる位置であれば何れに設けても良い。例えばスリット１９−２及び２０−２の近傍に設けても良い。
【００７９】
又、掛止部２４−２に対し、必ずしも紐状体２１を掛け止めする必要は無く、鈎部２２−２又は、２３−２を経た紐状体２１を、直接押圧部３０に押し込むようにしても良い。
この場合、紐状体２１の方向を考慮して、押圧部３０の方向と設置位置を決定する必要がある。
【００８０】
上記の説明は、図８に示す如く雌側鳩目金具１０−２に於ける鈎部２２−２及び２３−２の中、鈎部２２−２に紐状体２１を対向させた場合の説明である。然しながら本第二の実施例の場合、鈎部２３−２に紐状体２１を対向させても良く、鈎部２２−２、２３−２の何れに紐状体２１を対向させるかは、使い勝手を考慮して選択する。
【００８１】
又、鈎部２３−２に紐状体２１を対向させた場合と、既に説明済みの鈎部２２−２に紐状体２１を対向させた場合との、作用上に於ける相違点は、単に２２−２，２３−２の何れの鈎部に、紐状体２１を対向させるかのみであり、其の作用説明を省略する。
【００８２】
尚、上記第二の実施例に於いては、スリット１９−２、２０−２、鈎部２２−２，２３−２、掛止部２４−２及び押圧部３０を、雌側鳩目金具１０−２側に形成してあるが、これに限らず、雄側鳩目金具３のフランジ６に形成しても良い。
【００８３】
更に、第一の実施例に示される挟持部１７と同様の挟持部を、雌側鳩目金具１０−２に形成し、これを経た紐状体２１が最後に押圧部３０に至るようにしても良い。この場合、紐状体２１の前記滑り抜け防止を更に確実なものにすることが出来る。
【００８４】
次に第三の実施例の作用を以下説明する。
第一の実施例の場合と同様、図６に於ける従来の工事現場用覆い１１−Aを被装着部とした場合を例に説明する。
【００８５】
従来の工事現場用覆い１１−Aに、図１０に示す工事現場用覆い１１を隣接させた後、紐状体２１の一端部２５側を、雌側鳩目金具１０−３の裏側と、シート１２の間に進入させる。進入させた紐状体２１を、スリット１９−３の外周１８−３側からからスリット１９−３に押し込むと共に、鈎部２２−３に対向させる。
【００８６】
この対向状態で、図６に示す鳩目金具１方向に、紐状体２１の一端部２５を引張すると、雌側鳩目金具１０−３は孔１３を中心に回動し、鳩目金具１，鈎部２２−３、及び孔１３が、同一直線上に位置する
【００８７】
この同一直線上に位置させることにより、鈎部２２−３に対向した紐状体２１の、スリット１９−３内に於ける外周１８−３方向への移動が防止される。
【００８８】
この状態から更に、鳩目金具１と鈎部２２−３間に張設されている紐状体２１に、最も近接した掛止部２４−３上の位置に、図１０で示す如く紐状体２１の一端部２５側を掛け止めする。
【００８９】
次いで、この掛け止めした紐状体２１の一端部２５側を、雌側鳩目金具１０−３と、シート１２間に再度進入させ、上記した掛け止め状態が緩まないように緊張状態を維持させたまま、１０図に示す如く、紐状体２１の径より狭く形成してあるスリット２０−３に、押し込む９
【００９０】
以上により、図１０に示す工事現場用覆い１１と、被装着部となる従来の工事現場用覆い１１−Ａとの「連結」が完了する。
【００９１】
上記の説明は、図１０に示す如く雌側鳩目金具１０−３に於ける鈎部２２−３及び２３−３の中、鈎部２２−３に紐状体２１を対向させた場合の説明である。然しながら本第三の実施例の場合、鈎部２３−３に紐状体２１を対向させても良く、鈎部２２−３、２３−３の何れに紐状体２１を対向させるかは、使い勝手を考慮して選択する。
【００９２】
又、鈎部２３−３に紐状体２１を対向させた場合と、既に説明済みの鈎部２２−３に紐状体２１を対向させた場合との、作用上に於ける相違点は、単に２２−３，２３−３の何れの鈎部に、紐状体２１を対向させるかのみであり、其の作用説明を省略する。
【００９３】
上記「連結」の完了状態に於いては、紐状体２１に矢印Ａ方向の力が作用しても、上記の如く以下の作用により、紐状体２１の、矢印Ｘ方向への滑り抜け、鈎部２２−３又は２３−３からの外周１８方向への移動、弛み、及び雌側鳩目金具１０の面上からの浮き上がり、の各々を防止することが出来る。
（１）鈎部２２−３又は２３−３に、被装着部からの紐状体２１を介した反力が加わると、図６に示す如く、被装着部となる鳩目金具１、鈎部２２−３（又は２３−３）、孔１３が同一直線上に位置する。
（２）雌側鳩目金具１０−３の面上に沿う紐状体２１が、掛止部２４、鈎部２２（又は２３）、スリット１９−３(又は２０−３)の各々と係わる際は、必ず雌側鳩目金具１０の面に対し直角方向に向けられる。
【００９４】
工事が終了し、前記「連結」の「取り外し」を行うには、前記「連結」の手順とは逆の手順でもって「取り外し」を行う。
【００９５】
シート１１の、足場となるパイプ（図示せず）等に対する前記「取り付け」は、次の通りである。即ち、「取り付け」に際しては、先に述べ、且つ図１０に示す如く、雌側鳩目金具１０−３に一端部２５側が取り付けられた紐状体２１の他端部２６側をパイプ（図示せず）周りに周回させる。この周回した紐状体２１の他端部２６側を再度先の雌側鳩目金具１０−３に持ちきたし、先の一端部２５側と同様に、他端部２６側を雌側鳩目金具１０−３に取り付ける。即ち、雌側鳩目金具１０−３は紐状体２１が二重巻きされた状態になる。これで、工事現場用覆い１１の、パイプに対する「取り付け」は完了する。
【００９６】
工事現場用覆い１１のパイプからの「取り外し」は、上記「取り付け」と逆の手順により達成される。
【００９７】
尚、上記第三の実施例に於いては、挟持部１７−３、スリット１９−３、２０−３、鈎部２２−３，２３−３、及び掛止部２４−３を、雌側鳩目金具１０−３側に形成してあるが、これに限らず、雄側鳩目金具３のフランジ６に形成しても良い。
【００９８】
又、鈎部２２−３（２３−３）に対向した紐状体２１を、直接スリット２０−３（19−３）に押し込むのではなくして、挟持部１７−３を経由させた後に、押し込んで保持させても良い。
【００９９】
以上により、本願に於ける第一、第二及び第三の各実施例の作用の説明を終了するが、これらは以下のような変更も可能である。
【０１００】
掛止部２４，２４−２、２４−３に対し、必ずしも紐状体２１を掛け止めする必要は無く、鈎部２２，２２−２，２２−３又は、２３、２３−２，２３−３を経た紐状体２１を、直接、挟持部１７，１７−３、又は、押圧部３０に押し込むようにしても良い。
【０１０１】
又、上記説明に於いて、雌側鳩目金具１０，１０−２及び１０−３の、シート１２、１２−Ｂに対する取り付けは、何れも雄側鳩目金具３を利用している。しかし、これに限定されず、板体たる雌側鳩目金具１０，１０−２及び１０−３を、シート１２、１２−２に対し、直接取り付ける等、他の方法で取り付けても良い。
【０１０２】
上記各実施例に於いては、紐状体２１が掛止部２４，２４−２、２４−３を経由するよう説明してあるが、必ずしも経由を必要とするものではない。
【０１０３】
鳩目金具に於ける雌側又は雄側の何れかに、スリット、鈎部、挟持部(押圧部)を設けた鳩目金具を装着した工事現場用覆いであれば、其の挿通孔を用いて、従来の方法による、工事現場用覆いの「連結」、「取り付け」が可能である。
【０１０４】
請求項１乃至請求項５及び請求項８に於ける板体の材質としては、アルミニューム、金属、合成樹脂等が最適である。
【０１０５】
上記説明に於いて、雄側鳩目金具はアルミューム製として、又雌側鳩目金具はアルミニューム製又は合成樹脂製として説明した。然しながら、雄側鳩目金具と雌側鳩目金具との結合を、カシメ加工に依らなければ、何れも合成樹脂製とすることが出来る。又雄側鳩目金具と雌側鳩目金具との、何れをも金属製にすることが出来る。
【０１０６】
又、引っ掛かり防止のため、板体、雄側鳩目金具、雌側鳩目金具の各周縁に、シート状体方向に向けたカーリングを施しても良い。
【産業上の利用可能性】
【０１０７】
本発明は、工事現場用シートに限らず、工事現場用ネット、シート製の工事現場用看板等にも利用可能である。
【図面の簡単な説明】
【０１０８】
【図１】従来の工事現場用覆いに取り付けられる鳩目金具の部分断面図である。
【図２】本発明の第一の実施例に於ける、工事現場用覆いの部分断面図である。
【図３】本発明の第一の実施例に於ける、雌側鳩目金具の平面図である。
【図４】本発明の第一の実施例に於ける、工事現場用覆いの雌側鳩目金具に、紐状体を取り付けた状態の部分拡大平面図である。
【図５】本発明の第一の実施例に於ける、工事現場用覆いの雌側鳩目金具に、図４とは異なる紐状体の取り付けをした状態の、部分拡大平面図である。
【図６】本発明の第一の実施例に於ける工事現場用覆いと、被装着部となる従来の工事現場用覆いとを、「連結」した状態の部分的平面図である。
【図７】本発明の第一の実施例に於ける、工事現場用覆いを、被装着部とした別の本発明による工事現場用覆いに、連結した状態を示す部分的平面図である。
【図８】本発明の第二の実施例に於ける、工事現場用覆いに、紐状体を取り付けた状態の部分拡大平面図である。
【図９】本発明の第二の実施例を示す図８に於けるＹ−Ｙ線断面図である。
【図１０】本発明の第三の実施例を示す部分拡大平面図である。
【符号の説明】
【０１０９】
３                              雄側鳩目金具
６                              フランジ
１０，１０−２、１０−３        板体たる雌側鳩目金具
１１                            工事現場用覆い
１２                            シート状体たるシート
１３                            孔
１７、１７−３                  第二のスリットたる挟持部（請求項１〜５及び請
求項６〜７）                                              
１８、１８−２，１８−３        外周
１９、２０                      第一のスリットたるスリット
１９−２、２０−２              スリット(請求項４及び請求項５)
１９−３、２０−３              スリット（請求項８）
２１                            紐状体
２２、２３、２２−２、２３−２、２２−３、２３−３
鈎部
２４、２４−２、２４−３        掛止部
３０                            保持部たる押圧部
【要約】
【課題】
シート等の工事現場用覆いの敷設作業及び解体作業の中心を成す、連結紐等の取り付け及び取り外しのための作業コストの嵩み低減を実現した工事現場用覆いの提供。
【解決手段】
シート等の工事現場用覆いに装着した板体に、該板体の外周から内方に向かうスリットを形成し、このスリットに対し、前記工事現場用覆いの敷設箇所と繋がる紐を差し込むようにする。このように構成したので、紐を結びつけ、これを解く等の煩雑さ無しに、工事現場用覆いを敷設し、又これを解体することができる。
【選択図】  図６【図１】
0004139431.tif 000002
【図２】
0004139431.tif 000003
【図３】
0004139431.tif 000004
【図４】
0004139431.tif 000005
【図５】
0004139431.tif 000006
【図６】
0004139431.tif 000007
【図７】
0004139431.tif 000008
【図８】
0004139431.tif 000009
【図９】
0004139431.tif 000010
【図１０】
0004139431.tif 000011